(57)【特許請求の範囲】
【請求項１】
非同期転送モード（ＡＴＭ）伝送におけるＡＴＭスイッチと複数のＡＴＭセル終端デバイスとの間でセルを伝送するＡＴＭセル伝送システムにおいて、
ＡＴＭスイッチと複数のＡＴＭセル終端デバイスをループ状の伝送路で１：１に連接し、
かつ、前記複数のＡＴＭセル終端デバイス間の伝送路として、複数のＡＴＭセル終端デバイスを連接して受信セルの伝送を行う受信系伝送路と、前記複数のＡＴＭセル終端デバイスとＡＴＭスイッチを連接して送信セルの伝送を行う送信系伝送路と、の二つの伝送経路を設け、
前記ＡＴＭスイッチは、複数のＡＴＭセル終端デバイスからのセル送受信信号を監視し、いずれのＡＴＭセル終端デバイスとセルの送受信を行うかを決定し、この決定に基づいて作成した制御データをセルに付加して初段のＡＴＭセル終端デバイスに送信し、
かつ、前記ＡＴＭスイッチが、最後段のＡＴＭセル終端デバイスからセル及び制御データを受け取って、セルのスイッチングを実行することを特徴とするＡＴＭセル伝送システム。
【請求項２】
前記複数のＡＴＭセル終端デバイスのそれぞれは、自己識別用の識別番号が付与され、この識別番号及び制御データ中の識別番号を比較して、自己ＡＴＭセル終端デバイス宛のデータ及びセル送信要求を認識し、かつ、複数のそれぞれのＡＴＭセル終端デバイスは、セルの受信可否、及び送信するセルの有無をセル送受信信号によってＡＴＭスイッチに通知することを特徴とする請求項１記載のＡＴＭセル伝送システム。
【請求項３】
前記制御データが、ＡＴＭセル終端デバイスごとの識別番号及び伝送情報からなり、前記伝送情報に、送信・受信・送受信のいずれかの指示情報が格納されることを特徴とする請求項１又は２に記載のＡＴＭセル伝送システム。
【請求項４】
前記制御データの伝送情報が、セルの送り先を示した送信先識別番号、及びセルの送出を許可するＡＴＭセル終端デバイスを示した受信先識別番号であることを特徴とする請求項３記載のＡＴＭセル伝送システム。
【発明の詳細な説明】
【０００１】
【発明の属する技術分野】
本発明は、非同期転送モード（ＡＴＭ：(Asynchronous Transfer Mode)伝送におけるＡＴＭセル終端デバイス（接続デバイス）間でセルを伝送するためのインターフェースを処理するＡＴＭセル伝送システムに関する。
【０００２】
【従来の技術】
従来、この種のＡＴＭセル伝送は、ＡＴＭセル終端デバイス（適宜ＰＨＹと記載する）とＡＴＭスイッチとのセル伝送として、ユートピアレベル１，２インターフェース（適宜、Ｉ／Ｆと略記する）がある。ユートピアレベル１Ｉ／Ｆは、シングル接続用である。ユートピアレベル２Ｉ／Ｆは複数デバイスマルチポイント接続（１対ｎ）用であり、それぞれのデバイスの主信号を共通バスを通じて連接し、かつ、制御信号を個別に伝送するインターフェースを備えている（例えば、特開平１１−２５２１２２号公報の「ＡＴＭバス接続システム」）。
【０００３】
このようなＡＴＭセル伝送において、ユートピアレベル２Ｉ／Ｆでは、ＡＴＭスイッチと複数のＰＨＹがマルチ接続されている。このユートピアレベル２Ｉ／Ｆでは、バス形式であるため、例えば、回路基板上の配線パターンの分岐によるインピーダンス変化で波形反射などの波形歪みが発生し易い。このため、バスの動作速度の高速化が困難であり、さらに、多数のＰＨＹの接続が困難である。また、波形歪みを抑えるため実装設計において特に詳細な検討が必要となる。
【０００４】
図７は従来のユートピアレベル２インターフェースによるＡＴＭセル伝送システムを説明するためのブロック図である。
図７において、この例は、ＡＴＭスイッチ４０１及びＰＨＹ４０２〜４０４が、セル送信用のバス４０５、及びセル受信用のバス４０６で接続されている。すなわち、１：ｎのバス形式で構成されている。ＰＨＹ４０２〜４０４はＡＴＭスイッチ４０１に対し、セルの受信可否・送信可否を制御用バス４０７を通じてＡＴＭスイッチ４０１に通知する。
【０００５】
このＡＴＭスイッチ４０１は、受信可否・送信可否情報に基づき、送信用バス４０５及び受信用バス４０６を通じて各ＰＨＹへのセル送信とともに、ＰＨＹからのセル受信制御を実行する。このセル受信制御によって送信セル４６１の送信、及び受信セル４６２の受信を行っている。
【０００６】
【発明が解決しようとする課題】
こような上記従来例のユートピアレベル２によるＡＴＭセル伝送システムは、次のような問題がある。
（１）セルの送受信をバスで行うために動作速度を高速化できない。例えば、一般的なマルチＰＨＹ伝送方法のユートピアレベル２Ｉ／Ｆでは動作周波数の上限は３３ＭＨｚである。
【０００７】
これは、バス伝送による信号伝送が一本の信号線に複数のデバイスが接続されているため、パターン分岐のインピーダンス変化よる波形反射などで伝送波形が歪み、この波形歪みが収束するまでの時間を要するためである。
【０００８】
（２）この波形歪みを抑えるために部品の実装位置や配線の引き回し方法に、特に注意が必要となり、実装設計が複雑化する。
これはバス接続による伝送波形の歪みが、配線パターンの引き回しによって大きく変化し、波形歪みによる誤動作を避けるために部品配置や配線の引き回しを最適化する必要があるためである。
【０００９】
（３）１：ｎのバス接続のため、接続するＰＨＹの数が制限されてしまう。
これは１：ｎの接続では素子のドライブ能力やファンアウトを考慮する必要があるためである。
【００１０】
本発明は、このような従来の技術における課題を解決するものであり、ＡＴＭスイッチと複数のＰＨＹとが接続されたセル伝送において、動作速度を高速化できるとともに、実装における配線設計が簡易化され、かつ、接続するＰＨＹ数を増加できるとともに、送信セルと受信セルの競合を抑えて帯域の有効利用が可能になるＡＴＭセル伝送システムの提供を目的とする。
【００１１】
【課題を解決するための手段】
上記課題を達成するために、本発明のＡＴＭセル伝送システムは、非同期転送モード（ＡＴＭ）伝送におけるＡＴＭスイッチと複数のＡＴＭセル終端デバイスとの間でセルを伝送するものであり、ＡＴＭスイッチと複数のＡＴＭセル終端デバイスをループ状の伝送路で１：１に連接し、
かつ、前記複数のＡＴＭセル終端デバイス間の伝送路として、複数のＡＴＭセル終端デバイスを連接して受信セルの伝送を行う受信系伝送路と、前記複数のＡＴＭセル終端デバイスとＡＴＭスイッチを連接して送信セルの伝送を行う送信系伝送路と、の二つの伝送経路を設け、
前記ＡＴＭスイッチは、複数のＡＴＭセル終端デバイスからのセル送受信信号を監視し、いずれのＡＴＭセル終端デバイスとセルの送受信を行うかを決定し、この決定に基づいて作成した制御データをセルに付加して初段のＡＴＭセル終端デバイスに送信し、
かつ、前記ＡＴＭスイッチが、最後段のＡＴＭセル終端デバイスからセル及び制御データを受け取って、セルのスイッチングを実行する構成としてある。
【００１２】
また、本発明のシステムは、前記複数のＡＴＭセル終端デバイスのそれぞれは、自己識別用の識別番号が付与され、この識別番号及び制御データ中の識別番号を比較して、自己ＡＴＭセル終端デバイス宛のデータ及びセル送信要求を認識し、かつ、複数のそれぞれのＡＴＭセル終端デバイスは、セルの受信可否、及び送信するセルの有無をセル送受信信号によってＡＴＭスイッチに通知する構成としてある。
【００１３】
また、本発明のシステムは、前記複数のＡＴＭセル終端デバイスのそれぞれは、自己識別用の識別番号が付与され、この識別番号及び制御データ中の識別番号を比較して、自己ＡＴＭセル終端デバイス宛のデータ及びセル送信要求を認識し、かつ、複数のそれぞれのＡＴＭセル終端デバイスは、セルの受信可否、及び送信するセルの有無をセル送受信信号によってＡＴＭスイッチに通知する構成としてある。
【００１４】
さらに、本発明のシステムは、前記制御データが、ＡＴＭセル終端デバイスごとの識別番号及び伝送情報からなり、伝送情報に、送信・受信・送受信のいずれかの指示情報が格納される構成としてある。
【００１７】
このような構成の発明のＡＴＭセル伝送システムは、ＡＴＭスイッチと複数のＡＴＭセル終端デバイスをループ状の伝送路で１：１に連接してセル及びセルの送受信制御のための制御データを伝送している。
【００１８】
この結果、次の作用効果（Ｉ）（II）（III）が得られる。
（Ｉ）１：１の伝送路接続での終端によって反射などの伝送波形の歪みを抑えることが出来るようになり、動作速度を高速化できる。
【００１９】
（II）１：１の伝送路接続であるため、複数のＰＨＹを接続する際の配線分岐を考慮する必要が無くなり、実装における配線設計が簡易化される。
【００２０】
（III）１：１の伝送路接続であるため、素子のドライブ能力やファンアウトによる接続数制限が無くなり、接続するＰＨＹ数を増やすことが出来る。
【００２１】
また、発明のＡＴＭセル伝送システムは、前記伝送路を、ＡＴＭセル終端デバイスを連接して受信セルの伝送を行う受信系伝送路と、終端デバイスとＡＴＭスイッチを連接して送信セルの伝送を行う送信系伝送路との二つの伝送経路で形成している。この結果、送受信を区別した二つの伝送経路によって、送信セルと受信セルの競合が発生し難くなり、その伝送（送受信）特性が向上し、かつ、帯域の有効利用が可能になる。
【００２２】
【発明の実施の形態】
次に、本発明のＡＴＭセル伝送システムの実施の形態を図面を参照して詳細に説明する。
図１は本発明のＡＴＭセル伝送システムの実施形態における構成を示すブロック図である。
図１において、この例のＡＴＭセル伝送システムは、ＡＴＭスイッチ１に三つのＰＨＹ（ＡＴＭセル終端デバイス）２，３，４が、それぞれ伝送路８，９，１０，１１を通じて連接されている。なお、ＰＨＹが２個又は４個以上の場合も同様の構成で実現できるとともに、以下同様に動作する。
【００２３】
次に、この実施形態の動作について説明する。
まず、各部の基本的な動作について説明する。
図１を参照すると、ＡＴＭスイッチ１は、複数のＰＨＹ２〜４からのセル送受信信号５を監視して、いずれのＰＨＹとセルの送受信を行うかを決定する。この決定に基づき、作成した制御データ７をセルに付加してＰＨＹ２に送信する。ＡＴＭスイッチ１はＰＨＹ４からセル６と制御データ７を受け取り、セル６のスイッチングを行う。
【００２４】
ＰＨＹ２はＡＴＭスイッチ１と伝送路８によって接続されており、ＡＴＭスイッチ１から受け取った制御データ７を監視する。この監視による制御データ７が、自己ＰＨＹ２宛の送信データである場合、制御データ７に続くセル６を取り込む。制御データ７が自己ＰＨＹ２宛のセル送信要求である場合、制御データ７に続くセル６に送信セルを書き込み、伝送路９を通じて次段のＰＨＹ３へ送信する。
【００２５】
また、ＰＨＹ２は、制御データ７が自己ＰＨＹ２宛のデータであり、かつ、自己宛のセル送信要求の場合、制御データ７に続くセル６を取り込んだ後、送信セルを書き込み、次のＰＨＹ３へ伝送路９を通じて送信する。制御データ７が、自己ＰＨＹ２宛のデータでない場合、そのままＰＨＹ３へ送信する。
【００２６】
次に、ＰＨＹ３は、ＰＨＹ２と伝送路９によって接続されており、ＰＨＹ２から受け取った制御データ７を監視する。この監視では、ＰＨＹ２の場合と同様に、制御データ７が自己ＰＨＹ３宛である場合、制御データ７に続くセル６の取り込み、及び送信セルの書き込みを行って、次段のＰＨＹ４へ伝送路１０を通じて送信する。また、制御データ７が自己ＰＨＹ３宛のデータでない場合は、そのままＰＨＹ４へ送信する。
【００２７】
さらに、ＰＨＹ４は、ＰＨＹ３同様にＰＨＹ３から受け取った制御データ７を監視する。この監視で制御データ７が自己ＰＨＹ４宛である場合、制御データ７に続くセル６の取り込み、及び送信セルの書き込みを行う。そして、ＡＴＭスイッチ１へ伝送路１１を通じて送信する。また、制御データ７が自己ＰＨＹ４宛のデータでない場合、そのままＡＴＭスイッチ１へ送信する。
【００２８】
図２は制御データ７の内容を説明するための図である。
図２において、制御データ７はＰＨＹの識別番号７１と伝送情報７２とのそれぞれの情報からなる。ＰＨＹの識別番号７１はセルの送受信を行うためのＰＨＹの識別番号が格納され、伝送情報７２には送信・受信・送受信のいずれかの指示情報が格納されている。
【００２９】
次に、全体動作の概略について説明する。
図１を参照すると、ＡＴＭスイッチ１にＰＨＹ２〜４が伝送路８〜１１によって連接されており、ＰＨＹ４からＡＴＭスイッチ１へセルを送信する。ＰＨＹ２〜４は、ＡＴＭスイッチ１にセル送受信信号５を送信する。ＡＴＭスイッチ１はセル送受信信号５を監視し、送信又は受信可能なＰＨＹがあれば、セル６と制御データ７を送信する。
【００３０】
セル６及び制御データ７を受信したＰＨＹは、制御データ７を監視する。この監視で、自己ＰＨＹ宛の制御データ７であればセル６を引き取る。また、制御データ７がＡＴＭスイッチ１からの自己ＰＨＹ宛のセル送信要求であれば、セル６を上書きして、次のＰＨＹに送信する。制御データ７が自己ＰＨＹ宛ではない場合は、そのまま次のＰＨＹに送信する。
【００３１】
次に具体的な動作例について説明する。
図３は、実施形態の具体的な動作を説明するための図である。
図３において、ここではＰＨＹ１０２からのセル送受信信号１５１が受信可能であり、また、ＰＨＹ１０３からのセル送受信信号１５２も送受信可能であるとして説明する。さらに、ここではＰＨＹ１０４からのセル送受信信号１５３も送信可能の場合として説明する。
【００３２】
ＰＨＹ１０２〜１０４は、常時セルの受信可否、及び送信するセルの有無をセル送受信信号１６１，１６２，１６３によってＡＴＭスイッチ１０１へ通知する。
【００３３】
セル送受信信号１６１〜１６３を受け取ったＡＴＭスイッチ１０１は、伝送情報が送信であり、かつ、ＰＨＹ１０２の識別番号を格納した制御データ及びＰＨＹ１０２への送信セル（図３中の制御データ１７１，セル１６１）を作成してＰＨＹ１０２に送信する。
【００３４】
また、セル送受信信号１６１〜１６３を受け取ったＡＴＭスイッチ１０１は、伝送情報が送受信であるとともに、ＰＨＹ１０３の識別番号を格納した制御データ及びＰＨＹ１０３への送信セル（図３中の制御データ１７２，セル１６２）を作成してＰＨＹ１０２に送信する。
【００３５】
さらに、セル送受信信号１６１〜１６３を受け取ったＡＴＭスイッチ１０１は、伝送情報が受信であり、かつ、ＰＨＹ１０４の識別番号を格納した制御データ及びダミーのセル（図３中の制御データ１７３，セル１６３）を作成してＰＨＹ１０２に送信する。
【００３６】
ＰＨＹ１０２は、ＡＴＭスイッチから受け取った制御データ及びセルから制御データを抽出する。そして、ＰＨＹ１０２は、制御データ１７１〜１７３内のＰＨＹ識別番号が自己ＰＨＹの識別番号と一致するかを判断する。
【００３７】
図３において、制御データ１７１を受信した場合は、制御データ１７１中の識別番号が自己ＰＨＹと一致するため、次に、制御データ１７１内の伝送情報を調べる。この結果、伝送情報が送信のため、続くセル１６１を内部に取り込む。また、制御データ１７２，１７３を受信した場合は、制御データ中の識別番号が自己ＰＨＹと一致しないため、制御データ１７２及びセル１６２、制御データ１７３及びセル１６３を、そのままＰＨＹ１０３に送信する。
【００３８】
ＰＨＹ１０３もＰＨＹ１０２と同様に、最初にＰＨＹ１０２から受け取った制御データ及びセルから制御データを抽出する。そして、制御データ１７２，１７３内のＰＨＹ識別番号が自己ＰＨＹの識別番号と一致するかを判断する。図３において、制御データ１７２を受信した場合は、制御データ１７２中の識別番号が自己ＰＨＹと一致するため、次に、制御データ１７２内の伝送情報を調べる。
【００３９】
この結果、伝送情報が送受信のため、続くセル１６２を内部に取り込む。その後、送信したいセル１６４をセル１６２に上書きして、ＰＨＹ１０４に送信する。また、制御データ１７３を受信した場合は、制御データ中の識別番号が自己ＰＨＹと一致しないため、制御データ１７３及びセル１６３を、そのままＰＨＹ１０４に送信する。
【００４０】
ＰＨＹ１０４は、ＰＨＹ１０２と同様に、最初にＰＨＹ１０３から受け取った制御データ及びセルから制御データを抽出する。そして、制御データ１７２，１７３内のＰＨＹ識別番号が、自己ＰＨＹの識別番号と一致するかを判断する。図３において、制御データ１７２を受信した場合は、制御データ中の識別番号が自己ＰＨＹと一致しないため、制御データ１７２及びセル１６４を、そのままＡＴＭスイッチ１０１に送信する。
【００４１】
また、ＰＨＹ１０４は、制御データ１７３を受信した場合に、制御データ１７３中の識別番号が自己ＰＨＹと一致するため、次に、制御データ１７３内の伝送情報を調べる。この結果、伝送情報が受信であるため、送信したいセル１６５をセル１６３に上書きして、ＡＴＭスイッチ１０１に送信する。
【００４２】
ＡＴＭスイッチ１０１は、最後にＰＨＹ１０４からの制御データ１７２，セル１６４，制御データ１７３，セル１６５を受け取る。ＡＴＭスイッチ１０１は、制御データ１７２，１７３内の伝送情報を確認する。この確認で受信・送受信の場合、後に続くセル１６４，１６５を取り込み、セルのスイッチングを行う。
【００４３】
このようにして、この実施形態はユートピアレベル２インターフェースと同様に複数のＰＨＹが接続可能になる。この場合、ＡＴＭスイッチと複数のＰＨＹをループ状の一つの伝送路で連接してセル及びセルの送受信制御のための制御データを伝送している。すなわち、セルの伝送方法が全て１：１の伝送接続となっており、次の作用効果が得られる。
（Ａ）セルの伝送方法が全て１：１の伝送接続であり、終端によって反射等の伝送波形の歪みを抑えることが出来るようになる。例えば、従来の複数ＰＨＹ接続では数十ＭＨｚであった動作速度を１００ＭＨｚ以上に高速化することが出来る。
【００４４】
（Ｂ）セルの伝送方法が全て１：１の伝送接続であるため、従来のような複数のＰＨＹ接続での分岐を考慮する必要が無くなり、基板上などの配線の実装設計を簡易化できるようになる。
【００４５】
（Ｃ）セルの伝送方法が全て１：１の伝送接続であるため、素子のドライブ能力やファンアウトによる接続数制限が無くなり、接続するＰＨＹの数を増やすことが出来るようになる。
【００４６】
次に、本発明の他の実施例について説明する。
図４は他の実施形態の構成を示すブロック図である。
図４を参照すると、このＡＴＭセル伝送システムは、図１における伝送路９，１０をＡＴＭスイッチ１からの受信方向と、ＡＴＭスイッチ１への送信方向に分離している。そして、ＡＴＭスイッチからの受信セル伝送用の伝送路２０８〜２１０（請求項における受信系伝送路対応）が設けられている。また、ＡＴＭスイッチへの送信セル伝送用の伝送路２１１〜２１３（請求項における送信系伝送路対応）が設けられている。ここでは図１と同様にセルの送受信制御のための制御データ２７０を伝送している。
【００４７】
図５は他の実施形態における制御データ２７０の伝送情報を説明するための図である。
図５において、制御データ２７０の伝送情報は、セル２０６の送り先を示した送信先識別番号２７１及びセルの送出を許可するＰＨＹを示した受信先識別番号２７２である。
【００４８】
この他の実施形態における具体的な動作について説明する。
図６は他の実施形態の具体的な動作を説明するための図である。
図６において、ＡＴＭスイッチ３０１は、ＰＨＹ３０２〜３０４からのセル送受信信号３５１〜３５３を受信する。ＡＴＭスイッチ３０１は、このセル送受信信号３５１〜３５３から、セルの送信を行うＰＨＹの送信先識別番号、及び受信を行うＰＨＹの受信先識別番号を格納した制御データ３７１，３７２を生成する。さらに、ＡＴＭスイッチ３０１は、ＰＨＹに送信するセル３６１，３６２の先頭に制御データを付加してＰＨＹ３０２に送信する。
【００４９】
これ以降ではＰＨＹ３０２からのセル送受信信号３５１を受信可能として説明し、また、図６ではＰＨＹ３０３からのセル送受信信号３５２を送受信可能として説明する。さらに、図６ではＰＨＹ３０４からのセル送受信信号３５３を送信可能として説明する。
【００５０】
制御データ、セルの内容の一例を以下に示す。
（ｉ）制御データ３７１：送信先識別番号＝ＰＨＹ３０２、受信先識別番号＝ＰＨＹ３０４
（ii）制御データ３７２：送信先識別番号＝ＰＨＹ３０３、受信先識別番号＝ＰＨＹ３０３
（iii）セル３６１：ＰＨＹ３０２への送信セル
（iv）セル３６２：ＰＨＹ３０３への送信セル
【００５１】
ＰＨＹ３０２はＡＴＭスイッチ３０１から受け取った制御データ３７１内の送信先識別番号が、自己ＰＨＹの識別番号と一致するかを判断する。この判断では、図６の条件（上記（ｉ）から（iv）参照）において、送信先識別番号が自己ＰＨＹの識別番号と一致するため、制御データ３７１に続くセル３６１を内部に取り込む。
【００５２】
続いて、制御データ３７１内の受信先識別番号が自己ＰＨＹの識別番号と一致するかを判断する。この判断において、受信先識別番号は自己ＰＨＹの識別番号と一致しないため、セルの送出処理は行わない。制御データ３７２及びセル３６２に関しては、受信先識別番号・送信先識別番号が一致しないため、特に処理を行わない。また、ＡＴＭスイッチ３０１から受け取った制御データ及びセルはそのまま、ＰＨＹ３０３へ送信する。
【００５３】
ＰＨＹ３０３はＰＨＹ３０２から受け取った制御データ３７１の送信先識別番号及び受信先識別番号の一致・不一致を調べる。ＰＨＹ３０３は、この調べでは図６の条件において、自己ＰＨＹの識別信号と一致しないため、特に処理を行わない。ＰＨＹ３０３は、続いて受け取った制御データ３７２及びセル３６２に関しては、受信先識別番号・送信先識別番号が一致するためセル３６２を取り込む。ＰＨＹ３０３は、セル送信用伝送路を通じてＰＨＹ３０４にセル３６３を送信する。なお、ＰＨＹ３０２から受け取った制御データ及びセルはそのまま、ＰＨＹ３０４へ送信する。
【００５４】
ＰＨＹ３０４はＰＨＹ３０３から受け取った制御データ３７１内の送信先識別番号が、自己ＰＨＹの識別番号と一致するかを判断する。この判断において、図６の条件では、受信先識別番号が自己ＰＨＹの識別番号と一致するため、セル送信用伝送路を通じてＡＴＭスイッチ３０１にセル３６４を送信する。
【００５５】
また、上位であるＰＨＹ３０３から受け取ったＡＴＭスイッチ３０１へのＡＴＭ３６３については特に処理を行わず、ＡＴＭスイッチ３０１に送信する。続いて受け取った制御データ３７２及びセル３６２に関しては、受信先識別番号・送信先識別番号が一致しないため、特に処理を行わない。なお、ＰＨＹ３０３から受け取った制御データ及びセルは次の送り先ＰＨＹが無いため、ここで廃棄される。
【００５６】
ここまでの動作でＡＴＭスイッチ３０１は、ＰＨＹ３０４からセル３６３，３６４を受け取る。ＡＴＭスイッチ３０１はセルを取り込み、セルのスイッチングを行う。
【００５７】
このような受信及び送信の二つの伝送経路を設けた、セル送受信方式によって、送信セルと受信セルの競合を抑え、帯域を有効に利用できるようになる。
【００５８】
【発明の効果】
以上の説明から明らかなように、本発明のＡＴＭセル伝送システムによれば、バス伝送での終端による反射などの伝送波形の歪みを抑えることが出来るようになり、動作速度が高速化され、また、複数のＰＨＹ接続での分岐を考慮する必要が無くなり、実装における配線設計が簡易化できるとともに、素子のドライブ能力やファンアウトによる接続数制限が無くなり、接続するＰＨＹ数を増やすことが出来るという効果を奏する。
【００５９】
また、発明のＡＴＭセル伝送システムによれば、ＡＴＭスイッチと複数のＡＴＭセル終端デバイスを連接して受信セルの伝送を行う受信系伝送路と、複数のＡＴＭセル終端デバイスとＡＴＭスイッチを連接して送信セルの伝送を行う送信系伝送路との二つの伝送経路を設けている。この結果、送受信を区別した二つの伝送経路によって、送信セルと受信セルの競合が発生し難くなり、その伝送（送受信）特性が向上し、かつ、帯域の有効利用が可能になるという効果を奏する。
【図面の簡単な説明】
【図１】本発明のＡＴＭセル伝送システムの実施形態における構成を示すブロック図である。
【図２】実施形態にあって制御データの内容を説明するための図である。
【図３】実施形態の具体的な動作を説明するための図である。
【図４】他の実施形態の構成を示すブロック図である。
【図５】他の実施形態における制御データの伝送情報を説明するための図である。
【図６】他の実施形態の具体的な動作を説明するための図である。
【図７】従来のユートピアレベル２によるＡＴＭセル伝送システムを説明するためのブロック図である。
【符号の説明】
１，１０１，２０１，３０１，４０１  ＡＴＭスイッチ
２，３，４，１０２〜１０４，２０２〜２０４，３０２〜３０４，４０２〜４０４  ＰＨＹ（ＡＴＭセル終端デバイス）
５，１５１〜１５３，２０５，３５１〜３５３  セル送受信信号
６，１６１〜１６５，２０６，３６１〜３６４，４６１，４６２  セル
７，１７１〜１７３，２０７，３７１，３７２  制御データ
８，９，１０，１１，２０８〜２１３  伝送路
７１  ＰＨＹ識別番号
７２  伝送情報
２７１  送信先識別番号
２７２  受信先識別番号
４０５  ＡＴＭセル送信用バス
４０６  ＡＴＭセル受信用バス
４０７  セル送受信制御用バス
４６１  送信ＡＴＭセル
４６２  受信ＡＴＭセル
【図１】
0003661575.tif 000002
【図２】
0003661575.tif 000003
【図３】
0003661575.tif 000004
【図４】
0003661575.tif 000005
【図５】
0003661575.tif 000006
【図６】
0003661575.tif 000007
【図７】
0003661575.tif 000008